(57)【特許請求の範囲】
【請求項１】
筐体ケースの外面にアンテナ栓を位置して同アンテナ栓にアンテナを接続する無線装置において、中心部に前記アンテナ栓を貫通状態におくことができる絶縁性押え板を用意し、同押え板の下面にアンテナ栓の角型フランジを押し込める角型凹所を形成し、前記筐体ケースと前記押え板との間にラバーシートを介装して筐体ケースに押え板をねじ止めし、前記押え板の下面には前記角型凹所を取り囲む環状溝が形成され、前記ラバーシートは同環状溝に対応した外径とされ、前記押え板は前記環状溝よりも大きな外径位置で複数の固定ねじにより筐体ケースに固定されることを特徴とするアンテナ取付構造。
【発明の詳細な説明】
【０００１】
【発明の属する技術分野】
本発明は防水型携帯無線装置に適したアンテナ取付構造に関する。
【０００２】
【背景技術】
一般に、山岳地域や天候災害時に用いられる携帯無線装置においては、雨水等が筐体ケース内部へ侵入するのを防止した所謂”防水型”であることが望まれる場合が多い。
このような防水型携帯無線装置の場合、筐体ケースの外部に取り付けられるアンテナの取付部も防水構造とする必要があるが、アンテナの取付けに用意されている従来のアンテナ栓は、長さ方向中間部に取付のための小さな角型フランジをもった構造である。
【０００３】
【発明が解決しようとする課題】
このため、筐体ケースと同角型フランジの間に小型のパッキンを介装しても、確保できるシール面積が非常に小さくなり、アンテナから加えられる外力によりアンテナ栓が傾き、雨水等が筐体ケースの内部へ侵入してしまう問題がある。
【０００４】
本発明の目的は、以上に述べたような従来の無線装置のアンテナ取付構造の問題に鑑み、外力によりアンテナ栓が傾けられても、確実に防水性能を保つ無線装置のアンテナ取付構造を得るにある。
【０００５】
【課題を解決するための手段】
この目的を解決するため、本発明は、筐体ケースの外面にアンテナ栓を位置して同アンテナ栓にアンテナを接続する無線装置において、中心部に前記アンテナ栓を貫通状態におくことができる絶縁性押え板を用意し、同押え板の下面にアンテナ栓の角型フランジを押し込める角型凹所を形成し、前記筐体ケースと前記押え板との間にラバーシートを介装して筐体ケースに押え板をねじ止めし、前記押え板の下面には前記角型凹所を取り囲む環状溝が形成され、前記ラバーシートは同環状溝に対応した外径とされ、前記押え板は前記環状溝よりも大きな外径位置で複数の固定ねじにより筐体ケースに固定されるアンテナ取付構造を提案するものである。
【０００６】
本発明によれば、角型フランジの下面にはラバーシートが密着しているので、侵入した雨水は円孔及び透孔に到達することはできないから、内箱ケースの内部への侵入が完全に阻止されることになる。
また、押え板の外周囲の雨水は、上端壁の外面と外面と押え板の下面との間の隙間に入るが、これらの雨水は雨樋として機能する環状溝に流入するので、内箱ケースの傾けにより同環状溝の一部から機外に排出される。
【０００７】
【発明の実施の形態】
以下、図面について本発明の実施例の詳細を説明する。
図示実施例は図示を省略する複数の無線子局機を統制する基地局機に本発明を施した例である。
【０００８】
即ち、この防水型携帯無線装置は鋼板等の薄い金属板から曲げ加工される防水性筐体ケースを備えるが、同筐体ケースは”コ”字状断面に曲げ加工される外箱ケース１０に対して内挿される内箱ケース２０を有している。
一表面、つまり前記外箱ケース１０に対向する表面のみを開放される内箱ケース２０は、長方形の表面壁２１の左右側辺から直角に曲げ加工される一対の左右側壁２２，２３、及び、同表面壁２１の上下側辺から直角に曲げ加工されて左右端部を対応側壁２２，２３の上下端部に水密に結合される一対の端壁２４，２５を有している。
【０００９】
そして、前記各側壁２２，２３及び各端壁２４，２５の先端には、詳細を後述する弾性のある防水パッキンシート３１の表面に外表面を圧接される内向きフランジ２２ａ〜２５ａがそれぞれ曲げ成形される。
前記内箱ケース２０の表面壁２１の内面には電気部品を搭載したメインプリント基板４１の組込みのために複数のスペーサスリーブ５１がスタッド溶接される。
【００１０】
前記スペーサスリーブ５１には取付孔４２に挿入される複数の取付ねじ４３を用いてＣＰＵ素子４０等を搭載するメインプリント基板４１が組み付けられるが、このメインプリント基板４１には発信用トランス４４等の電気部品を組み込むサブプリント基板４５がスペーサ４６を介して固定される。
【００１１】
図１から理解されるように、外箱ケース１０との組立のため、内箱ケース２０の両側壁２２，２３の上下端部寄りの部分には比較的口径の大きな４個の貫通孔２４が形成され、これらの貫通孔２４に対しては、前記側壁２２，２３の内面側からカレープレスナット６１がカシメ止めされる。
これらのカレープレスナット６１には外箱ケース１０の左右側壁１４，１５に形成する組立孔１１から挿入される組立ねじ１２がねじ込まれ、これらの組立ねじ１２を用いて外箱ケース１０に内箱ケース２０を内装させた状態で組み付けることができるが、同外箱ケース１０の表面壁１３の内面には微細な発砲樹脂シートからなる防水パッキンシート３１が貼着され、外箱ケース１０に対する内箱ケース２０の組立状態では、この防水パッキンシート３１の外周部に内箱ケース２０の内向きフランジ２２ａ〜２５ａが密着され、内箱ケース２０の内部への雨水等の侵入が防止される。
【００１２】
内箱ケース２０の上方への抜け出しを防止するため、外箱ケース１０の表面壁１３の上端部及び左右側壁１４，１５の上端部には内側を向いた端部フランジ１３ａ〜１５ａがそれぞれ直角に曲げ加工される。
図２から理解されるように、前記外箱ケース１０の下端部には前記内箱ケース２０の下端壁２４，２５の下方まで延長したスカート部１６が一体的に形成され、このスカート部１６の包囲により、内箱ケース２０の下端壁２５に固定されたヒューズ、電源スイッチ、ハンドセット用コネクタ等の電気部品が保護される。
また、同スカート部１６の下端には対応内面に沿って折り返される折返し片１３ｂ，１４ｂが連設され、スカート部１６の補強となる同折返し片１３ｂ，１４ｂは、前記外箱ケース１０中での前記内箱ケース２０の位置決めとしても機能する。
【００１３】
前述した内箱ケース２０の上端壁２４には、アンテナ栓７１を用いてアンテナ７０が取り付けられ、同アンテナ７０を介して送受信が行われる。
図３に拡大して示すように、内箱ケース２０の上端壁２４にはアンテナ栓７１の下端部７１ａを挿入できる透孔７２が形成され、この透孔７２の両側の一対の孔７３，７４には、上端壁２４の内面に位置されるカレープレスナット７５，７６がカシメ止めされる。即ち、上端ナット部７１ｂをアンテナ７０にねじ結合できる前記アンテナ栓７１はその長さ方向中間部に角型フランジ７１ｃを有するが、このアンテナ栓７１の固定のために円板状の絶縁樹脂製押え板８１が用意される。
【００１４】
この押え板８１は前記アンテナ栓７１の上端ナット部７１ｂを挿入できる中心孔８２を中心部に形成されるもので、その下面にはアンテナ栓７１の角型フランジ７１ｃに対応した角型凹所８３が中心孔８２と同心的に形成されるから、アンテナ栓７１の角型フランジ７１ｃを角型凹所８３に位置することにより、アンテナ栓７１を押え板８１に保持させることができる。
また、図４に示すように、前記押え板８１の下面には前記中心孔８２及び角型凹所８３に同心的な環状溝８４が形成され、この環状溝８４の内側径に等しいラバーシート９１が押え板８１と前記上端壁２４の外面との間に介装してある。
【００１５】
前記上端壁２４に対する押え板８１の固定のため、押え板８１の中心孔８２の両側には、前記環状溝８４に一致した位置に一対の固定孔８５が形成され、これらの固定孔８５にそれぞれ挿入される固定ねじ８６のねじ部をラバーシート９１の切欠き９２及び対応カレープレスナット７５，７６のねじ孔に挿入することにより、押え板８１でアンテナ栓７１及びラバーシート９１を上端壁２４に液密に固定できる。
【００１６】
図示実施例の防水型携帯無線装置のアンテナ取付構造は、以上のような構造であるので、アンテナ栓７１の角型フランジ７１ｃが押え板８１の角型凹所８３に位置されるから、この角型フランジ７１ｃと角型凹所８３との係合によりアンテナ栓７１の取付位置が確定する。
そして、内箱ケース２０の上端壁２４と押え板８１との間には円孔９３をもつ弾性のあるラバーシート９１が介装され、固定ねじ８６の緊締による同ラバーシート９１の圧縮弾性変形で外部の雨水等の侵入を完全に防止できる。
【００１７】
即ち、アンテナ７０に対する外力によりアンテナ栓７１が左右に傾けられた場合、アンテナ栓７１の角型フランジ７１ｃと角型凹所８３との間に僅かの隙間が形成されるから、同隙間に雨水等が侵入することはある。
しかしながら、同角型フランジ７１ｃの下面にはラバーシート９１が密着しているので、侵入した雨水は円孔９３及び透孔７２に到達することはできないから、内箱ケース２０の内部への侵入が完全に阻止される。
また、押え板８１の外周囲の雨水は、上端壁２４の外面と押え板８１の下面との間の隙間に入るが、これらの雨水は雨樋として機能する環状溝８４に流入するので、内箱ケース２０の傾けにより同環状溝８４の一部から機外に排出されることになる。
【００１８】
【発明の効果】
以上の説明から明らかなように、本発明によれば、角型凹所を形成した押え板でアンテナ栓の角型フランジを抑え、筐体ケースと同押え板との間にラバーシートを介装するので、外力でアンテナ栓が傾けられても、内部への雨水等の侵入のない防水構造を得ることができる。ことに、本発明のアンテナ取付構造によれば、角型フランジの下面にはラバーシートが密着しているので、侵入した雨水は円孔及び透孔に到達することはできないため、内箱ケースの内部への侵入が完全に阻止されることになる。
また、押え板の外周囲の雨水は、上端壁の外面と外面と押え板の下面との間の隙間に入るが、これらの雨水は雨樋として機能する環状溝に流入するので、内箱ケースの傾けにより同環状溝の一部から機外に排出される効果もある。
【図面の簡単な説明】
【図１】本発明を施した防水型携帯無線装置の分解斜視図である。
【図２】同防水型携帯無線装置の全体断面図である。
【図３】同防水型携帯無線装置のアンテナ取付部の拡大分解斜視図である。
【図４】同アンテナ取付部に用いる固定板の底面図である。
【符号の説明】
２０        内箱ケース（筐体ケース）
２４        上端壁
７０        アンテナ
７１        アンテナ栓
７１ｃ      角型フランジ
８１        押え板
８２        中心孔
８３        角型凹所
８４        環状溝
８５        固定孔
８６        固定ねじ
９１        ラバーシート
９３        円孔
【図１】
0003610832.tif 000002
【図２】
0003610832.tif 000003
【図３】
0003610832.tif 000004
【図４】
0003610832.tif 000005